(57)【特許請求の範囲】
【請求項１】
送信媒体に印刷された送信媒体識別情報に関連付けて、送信する電子文書に関する情報を管理する送信媒体識別情報管理手段と、
宛先情報を管理する宛先情報管理手段と、
前記宛先情報管理手段から取得した宛先情報と送信媒体識別情報とを含む送信媒体を作成する送信媒体作成手段と、
前記送信媒体に送信媒体識別情報を付与して印刷する印刷手段と、
印刷された送信媒体から送信媒体識別情報を取得して、前記送信媒体識別情報管理手段を用いて送信する電子文書を特定するとともに、この電子文書の宛先情報を取得する送信媒体読込手段と、
前記送信媒体読込手段により取得した電子文書の宛先情報に基づいて、前記電子文書を送信する送信手段と
を備えたことを特徴とする文書送信装置。
【請求項２】
送信媒体に印刷された送信媒体識別情報に関連付けて、送信する電子文書に関する情報を管理する送信媒体識別情報管理手段と、
前記送信媒体識別情報に関連付けて宛先情報を管理する宛先情報管理手段と、
少なくとも送信媒体識別情報を含む送信媒体を作成する送信媒体作成手段と、
前記送信媒体に送信媒体識別情報を付与して印刷する印刷手段と、
印刷された送信媒体から送信媒体識別情報を取得して、前記送信媒体識別情報管理手段を用いて送信する電子文書を特定する送信媒体読込手段と、
前記送信媒体読込手段により取得した送信媒体識別情報に基づいて前記宛先情報管理手段から電子文書の宛先情報を取得し、前記電子文書を送信する送信手段と
を備えたことを特徴とする文書送信装置。
【請求項３】
前記送信手段は、前記送信媒体の読込時に、同時期に前記送信媒体読込手段で読み込まれた文書を送信することを特徴とする請求項１又は２に記載の文書送信装置。
【請求項４】
前記送信媒体に印刷された追記欄に追記された情報を抽出し、抽出した情報から追記内容を解釈する追記解釈手段と、
前記追記解釈結果により、送信に関する処理内容を決定する処理内容決定手段と
を更に備えたことを特徴とする請求項１〜３のいずれか一つに記載の文書送信装置。
【請求項５】
前記追記欄には、送信方法を指定するための送信方法指定欄を含み、
前記処理内容決定手段が、追記欄への記入を読み取り、指定された送信方法を決定し、
前記送信手段が、前記処理内容決定手段において決定された送信方法を用いて、前記電子文書の送信を行なうことを特徴とする請求項４に記載の文書送信装置。
【請求項６】
前記追記欄には、ファクシミリ送信を指定するためのファクシミリ送信欄と、電子メール送信を指定するための電子メール送信欄のうち少なくとも一つが含まれるとともに、
前記送信手段は、指定されたファクシミリ送信又は電子メール送信を行なうことを特徴とする請求項５に記載の文書送信装置。
【請求項７】
前記追記欄には、検印欄を含み、
送信媒体の読込時に前記検印欄への追記が不当である場合は、前記電子文書の送信を拒否することを特徴とする請求項４に記載の文書送信装置。
【請求項８】
前記文書送信装置は、電子文書を符号化する符号化手段と、前記符号化された電子文書を復号する復号手段とを更に備え、
前記印刷手段は、前記送信媒体識別情報に、前記電子文書を符号化した情報を含めて印刷することを特徴とする請求項１〜７のいずれか一つに記載の文書送信装置。
【請求項９】
前記文書送信装置は、一回の送信においてまとめて送信する電子文書を関連付ける情報を記録した関連情報識別手段を更に備え、
前記送信媒体識別情報に基づいて、前記関連情報識別手段に記録されている電子文書を特定し、まとめて送信することを特徴とする請求項１〜８のいずれか一つに記載の文書送信装置。
【請求項１０】
前記送信媒体作成手段は、送信媒体識別情報と宛先情報を印刷した送信依頼票を作成し、
前記送信媒体読込手段が、前記送信依頼票を読み込んだ場合、送信票を生成し、この送信票を送信することを特徴とする請求項１〜９のいずれか一つに記載の文書送信装置。
【請求項１１】
送信媒体に印刷された送信媒体識別情報に関連付けて、送信する電子文書に関する情報を管理する送信媒体識別情報管理手段と、
宛先情報を管理する宛先情報管理手段とを備えた文書送信装置を用いて、文書を送信する方法であって、
前記宛先情報管理手段から取得した宛先情報と送信媒体識別情報とを含む送信媒体を作成する送信媒体作成段階と、
前記送信媒体に送信媒体識別情報を付与して印刷する印刷段階と、
印刷された送信媒体から送信媒体識別情報を取得して、前記送信媒体識別情報管理手段を用いて送信する電子文書を特定するとともに、この電子文書の宛先情報を取得する送信媒体読込段階と、
前記送信媒体読込段階により取得した電子文書の宛先情報に基づいて、前記電子文書を送信する送信段階と
を実行することを特徴とする文書送信方法。
【請求項１２】
送信媒体に印刷された送信媒体識別情報に関連付けて、送信する電子文書に関する情報を管理する送信媒体識別情報管理手段と、
前記送信媒体識別情報に関連付けて宛先情報を管理する宛先情報管理手段とを備えた文書送信装置を用いて、文書を送信する方法であって、
少なくとも送信媒体識別情報を含む送信媒体を作成する送信媒体作成段階と、
前記送信媒体に送信媒体識別情報を付与して印刷する印刷段階と、
印刷された送信媒体から送信媒体識別情報を取得して、前記送信媒体識別情報管理手段を用いて送信する電子文書を特定する送信媒体読込段階と、
前記送信媒体読込段階により取得した送信媒体識別情報に基づいて前記宛先情報管理手段から電子文書の宛先情報を取得し、前記電子文書を送信する送信段階と
を実行することを特徴とする文書送信方法。
【請求項１３】
送信媒体に印刷された送信媒体識別情報に関連付けて、送信する電子文書に関する情報を管理する送信媒体識別情報管理手段と、
宛先情報を管理する宛先情報管理手段とを備えた文書送信装置を用いて、文書を送信するプログラムであって、
前記文書送信装置を、
前記宛先情報管理手段から取得した宛先情報と送信媒体識別情報とを含む送信媒体を作成する送信媒体作成手段と、
前記送信媒体に送信媒体識別情報を付与して印刷する印刷手段と、
印刷された送信媒体から送信媒体識別情報を取得して、前記送信媒体識別情報管理手段を用いて送信する電子文書を特定するとともに、この電子文書の宛先情報を取得する送信
媒体読込手段と、
前記送信媒体読込手段により取得した電子文書の宛先情報に基づいて、前記電子文書を送信する送信手段
として機能させることを特徴とする文書送信プログラム。
【請求項１４】
送信媒体に印刷された送信媒体識別情報に関連付けて、送信する電子文書に関する情報を管理する送信媒体識別情報管理手段と、
前記送信媒体識別情報に関連付けて宛先情報を管理する宛先情報管理手段とを備えた文書送信装置を用いて、文書を送信するプログラムであって、
前記文書送信装置を、
少なくとも送信媒体識別情報を含む送信媒体を作成する送信媒体作成手段と、
前記送信媒体に送信媒体識別情報を付与して印刷する印刷手段と、
印刷された送信媒体から送信媒体識別情報を取得して、前記送信媒体識別情報管理手段を用いて送信する電子文書を特定する送信媒体読込手段と、
前記送信媒体読込手段により取得した送信媒体識別情報に基づいて前記宛先情報管理手段から電子文書の宛先情報を取得し、前記電子文書を送信する送信手段
として機能させることを特徴とする文書送信プログラム。
【発明の詳細な説明】
【技術分野】
【０００１】
本発明は、文書の送信技術に係り、詳しくは、紙等の媒体を利用して適切な文書を間違いなく送信する文書送信装置、文書処理方法、文書処理プログラムに関する。
【背景技術】
【０００２】
従来、ファクシミリ装置は、セットされた送信文をイメージセンサ等の光学式読取手段により読み取り、ボタン操作等で入力された送信先のファクシミリ番号に、読取データをファクシミリ通信で伝送する。この場合、送信先のファクシミリ番号を使用者がボタン操作等で入力するため、送信操作としてファクシミリ番号の入力操作を要するだけでなく、ボタンの押し間違いによって誤送信する問題点がある。なお、いわゆるワンタッチダイヤル式のファクシミリ装置にあっても、ボタン操作等の送信操作は必要であり、同様の課題がある。
【０００３】
そこで、送信先ファクシミリ番号の入力操作等の送信操作を省き、自動的に送信して省力化及び人為的ミスによる誤送信の防止を図るための技術が開示されている（例えば、特許文献１参照。）。この文献記載のファクシミリ装置は、先頭検出手段と番号認識手段と送信手段とを備える。この先頭検出手段は、送信レターの読取データのドットパターンと予め設定された所定パターンとを比較して送信レターの送信先ファクシミリ番号の先頭を検出する。番号認識手段は、先頭検出手段の検出により読取データの所定パターンに続くドットパターンと数字パターンとを比較して送信先のファクシミリ番号を認識する。送信手段は、番号認識手段により認識されたファクシミリ番号にダイヤリングする。これにより、読み込まれた紙文書中の特定文字列（例えば「ファクシミリ番号」など）をＯＣＲ（Optical Character Reader）などによって検出し、それに続く数字部分があればそれをファクシミリ番号として取得し、その番号に自動ダイヤルする。
【０００４】
また、ファクシミリ情報等の情報送信を行う場合の誤送信を防止し、受信側の不快感や消耗品の消尽を回避することができ、また第三者に重要な情報が漏洩することを防ぐ技術も検討されている（例えば、特許文献２参照。）。この文献記載の情報通信機器は、送信先アドレス情報記憶手段と、誤送信のアドレス情報を記憶する誤送信アドレス情報記憶手段と、送信しようとする情報の相手先アドレスが間違っているか否かを判別する誤送信判別手段と報知手段とを有している。そして、誤送信判別手段は、情報通信機器が情報送信を実行しようとする際に、設定された送信相手先のアドレスと送信先アドレス情報記憶手段に登録した誤送信アドレスとを比較する。そして、送信相手先のアドレスが誤送信アドレス情報記憶手段に登録されている場合に、誤送信であると判断する。
【特許文献１】特開平８−１９５８６９号公報
【特許文献２】特開２００５−７３１８６号公報
【発明の開示】
【発明が解決しようとする課題】
【０００５】
しかし、ファクシミリ番号や短縮ダイヤルの押し間違いによる誤送信を根絶できない。特に、これは個人情報保護の観点からも重大な課題になりつつある。
しかし、特許文献１の技術では、ＯＣＲを失敗した場合、意図しない番号へファクシミリ送信される可能性があることがある。また、紙文書中に「特定文字列＋数字」の部分が複数存在する場合には、どの番号にダイヤルするかを判断する方法がない。
【０００６】
さらに、上記特許文献１や特許文献２に記載の技術では、送信先が正しい場合であっても、送信する紙文書を間違えてしまう可能性もある。
本発明はこのような問題点に鑑みるものであって、適切な文書を間違いなく確実に送信することができる文書送信装置、文書送信方法、および文書送信プログラムを提供することにある。
【課題を解決するための手段】
【０００７】
上記問題点を解決するために、請求項１に記載の発明は、送信媒体に印刷された送信媒体識別情報に関連付けて、送信する電子文書に関する情報を管理する送信媒体識別情報管理手段と、宛先情報を管理する宛先情報管理手段と、前記宛先情報管理手段から取得した宛先情報と送信媒体識別情報とを含む送信媒体を作成する送信媒体作成手段と、前記送信媒体に送信媒体識別情報を付与して印刷する印刷手段と、印刷された送信媒体から送信媒体識別情報を取得して、前記送信媒体識別情報管理手段を用いて送信する電子文書を特定するとともに、この電子文書の宛先情報を取得する送信媒体読込手段と、前記送信媒体読込手段により取得した電子文書の宛先情報に基づいて、前記電子文書を送信する送信手段とを備えたことを要旨とする。
【０００８】
請求項２に記載の発明は、送信媒体に印刷された送信媒体識別情報に関連付けて、送信する電子文書に関する情報を管理する送信媒体識別情報管理手段と、前記送信媒体識別情報に関連付けて宛先情報を管理する宛先情報管理手段と、少なくとも送信媒体識別情報を含む送信媒体を作成する送信媒体作成手段と、前記送信媒体に送信媒体識別情報を付与して印刷する印刷手段と、印刷された送信媒体から送信媒体識別情報を取得して、前記送信媒体識別情報管理手段を用いて送信する電子文書を特定する送信媒体読込手段と、前記送信媒体読込手段により取得した送信媒体識別情報に基づいて前記宛先情報管理手段から電子文書の宛先情報を取得し、前記電子文書を送信する送信手段とを備えたことを要旨とする。
【０００９】
請求項３に記載の発明は、請求項１又は２に記載の文書送信装置において、前記送信手段は、前記送信媒体の読込時に、同時期に前記送信媒体読込手段で読み込まれた文書を送信することを要旨とする。
【００１０】
請求項４に記載の発明は、請求項１〜３のいずれか一つに記載の文書送信装置において、前記送信媒体に印刷された追記欄に追記された情報を抽出し、抽出した情報から追記内容を解釈する追記解釈手段と、前記追記解釈結果により、送信に関する処理内容を決定する処理内容決定手段とを更に備えたことを要旨とする。
【００１１】
請求項５に記載の発明は、請求項４に記載の文書送信装置において、前記追記欄には、送信方法を指定するための送信方法指定欄を含み、前記処理内容決定手段が、追記欄への記入を読み取り、指定された送信方法を決定し、前記送信手段が、前記処理内容決定手段において決定された送信方法を用いて、前記電子文書の送信を行なうことを要旨とする。
【００１２】
請求項６に記載の発明は、請求項５に記載の文書送信装置において、前記追記欄には、ファクシミリ送信を指定するためのファクシミリ送信欄と、電子メール送信を指定するための電子メール送信欄のうち少なくとも一つが含まれるとともに、前記送信手段は、指定されたファクシミリ送信又は電子メール送信を行なうことを要旨とする。
【００１３】
請求項７に記載の発明は、請求項４に記載の文書送信装置において、前記追記欄には、検印欄を含み、送信媒体の読込時に前記検印欄への追記が不当である場合は、前記電子文書の送信を拒否することを要旨とする。
【００１４】
請求項８に記載の発明は、請求項１〜７のいずれか一つに記載の文書送信装置において、前記文書送信装置は、電子文書を符号化する符号化手段と、前記符号化された電子文書
を復号する復号手段とを更に備え、前記印刷手段は、前記送信媒体識別情報に、前記電子文書を符号化した情報を含めて印刷することを要旨とする。
【００１５】
請求項９に記載の発明は、請求項１〜８のいずれか一つに記載の文書送信装置において、前記文書送信装置は、一回の送信においてまとめて送信する電子文書を関連付ける情報を記録した関連情報識別手段を更に備え、前記送信媒体識別情報に基づいて、前記関連情報識別手段に記録されている電子文書を特定し、まとめて送信することを要旨とする。
【００１６】
請求項１０に記載の発明は、請求項１〜９のいずれか一つに記載の文書送信装置において、前記送信媒体作成手段は、送信媒体識別情報と宛先情報を印刷した送信依頼票を作成し、前記送信媒体読込手段が、前記送信依頼票を読み込んだ場合、送信票を生成し、この送信票を送信することを要旨とする。
【００１７】
請求項１１に記載の発明は、送信媒体に印刷された送信媒体識別情報に関連付けて、送信する電子文書に関する情報を管理する送信媒体識別情報管理手段と、宛先情報を管理する宛先情報管理手段とを備えた文書送信装置を用いて、文書を送信する方法であって、前記宛先情報管理手段から取得した宛先情報と送信媒体識別情報とを含む送信媒体を作成する送信媒体作成段階と、前記送信媒体に送信媒体識別情報を付与して印刷する印刷段階と、印刷された送信媒体から送信媒体識別情報を取得して、前記送信媒体識別情報管理手段を用いて送信する電子文書を特定するとともに、この電子文書の宛先情報を取得する送信媒体読込段階と、前記送信媒体読込段階により取得した電子文書の宛先情報に基づいて、前記電子文書を送信する送信段階とを実行することを要旨とする。
【００１８】
請求項１２に記載の発明は、送信媒体に印刷された送信媒体識別情報に関連付けて、送信する電子文書に関する情報を管理する送信媒体識別情報管理手段と、前記送信媒体識別情報に関連付けて宛先情報を管理する宛先情報管理手段とを備えた文書送信装置を用いて、文書を送信する方法であって、少なくとも送信媒体識別情報を含む送信媒体を作成する送信媒体作成段階と、前記送信媒体に送信媒体識別情報を付与して印刷する印刷段階と、印刷された送信媒体から送信媒体識別情報を取得して、前記送信媒体識別情報管理段階を用いて送信する電子文書を特定する送信媒体読込段階と、前記送信媒体読込手段により取得した送信媒体識別情報に基づいて前記宛先情報管理手段から電子文書の宛先情報を取得し、前記電子文書を送信する送信段階とを実行することを要旨とする。
【００１９】
請求項１３に記載の発明は、送信媒体に印刷された送信媒体識別情報に関連付けて、送信する電子文書に関する情報を管理する送信媒体識別情報管理手段と、宛先情報を管理する宛先情報管理手段とを備えた文書送信装置を用いて、文書を送信するプログラムであって、前記文書送信装置を、前記宛先情報管理手段から取得した宛先情報と送信媒体識別情報とを含む送信媒体を作成する送信媒体作成手段と、前記送信媒体に送信媒体識別情報を付与して印刷する印刷手段と、印刷された送信媒体から送信媒体識別情報を取得して、前記送信媒体識別情報管理手段を用いて送信する電子文書を特定するとともに、この電子文書の宛先情報を取得する送信媒体読込手段と、前記送信媒体読込手段により取得した電子文書の宛先情報に基づいて、前記電子文書を送信する送信手段として機能させることを要旨とする。
【００２０】
請求項１４に記載の発明は、送信媒体に印刷された送信媒体識別情報に関連付けて、送信する電子文書に関する情報を管理する送信媒体識別情報管理手段と、前記送信媒体識別情報に関連付けて宛先情報を管理する宛先情報管理手段とを備えた文書送信装置を用いて、文書を送信するプログラムであって、前記文書送信装置を、少なくとも送信媒体識別情報を含む送信媒体を作成する送信媒体作成手段と、前記送信媒体に送信媒体識別情報を付与して印刷する印刷手段と、印刷された送信媒体から送信媒体識別情報を取得して、前記
送信媒体識別情報管理手段を用いて送信する電子文書を特定する送信媒体読込手段と、前記送信媒体読込手段により取得した送信媒体識別情報に基づいて前記宛先情報管理手段から電子文書の宛先情報を取得し、前記電子文書を送信する送信手段として機能させることを要旨とする。
【００２１】
（作用）
請求項１、１１、１３に記載の発明によれば、文書送信装置は、送信媒体に印刷された送信媒体識別情報に関連付けて、送信する電子文書に関する情報を管理する送信媒体識別情報管理手段と、宛先情報を管理する宛先情報管理手段とを備えた文書送信装置とを備える。そして、文書送信装置が、宛先情報管理手段から取得した宛先情報と送信媒体識別情報とを含む送信媒体を作成し、送信媒体に送信媒体識別情報を付与して印刷する。そして、印刷された送信媒体から送信媒体識別情報を取得して、送信媒体識別情報管理手段を用いて送信する電子文書を特定するとともに、この電子文書の宛先情報を取得する。更に、送信媒体読込手段により取得した電子文書の宛先情報に基づいて、電子文書を送信する。これにより、送信の際に宛先を打ち込む必要がないので、誤送信を排除することができる。更に、宛先を設定するだけで、送信票を簡単に作成することができる。
【００２２】
請求項２、１２、１４に記載の発明によれば、文書送信装置は、送信媒体に印刷された送信媒体識別情報に関連付けて、送信する電子文書に関する情報を管理する送信媒体識別情報管理手段と、送信媒体識別情報に関連付けて宛先情報を管理する宛先情報管理手段とを備える。そして、文書送信装置が、少なくとも送信媒体識別情報を含む送信媒体を作成し、送信媒体に送信媒体識別情報を付与して印刷する。そして、印刷された送信媒体から送信媒体識別情報を取得して、送信媒体識別情報管理手段を用いて送信する電子文書を特定する。更に、送信媒体読込手段により取得した送信媒体識別情報に基づいて宛先情報管理手段から電子文書の宛先情報を取得し、電子文書を送信する。これにより、送信の際に宛先を打ち込む必要がないので、誤送信を排除することができる。更に、宛先を設定するだけで、送信票を簡単に作成することができる。
【００２３】
請求項３に記載の発明によれば、送信手段は、送信媒体の読込時に、同時期に送信媒体読込手段で読み込まれた文書を送信する。送信媒体（例えば、送信票）を読み込むだけで、送信本文も同時に送信（例えば、ファクシミリ送信や電子メール送信）を行なうことができる。従って、適切な文書を間違いなく確実に送信することができる。
【００２４】
請求項４に記載の発明によれば、文書送信装置は、追記解釈手段と処理内容決定手段とを更に備える。そして、送信媒体に印刷された追記欄に追記された情報を抽出し、抽出した情報から追記内容を解釈する。この追記解釈結果により、送信に関する処理内容を決定することができる。
【００２５】
請求項５に記載の発明によれば、追記欄には、送信方法を指定するための送信方法指定欄を含む。そして、処理内容決定手段が、追記欄への記入を読み取り、指定された送信方法を決定し、送信手段が、処理内容決定手段において決定された送信方法を用いて、電子文書の送信を行なう。これにより、後からの追記に基づいて、送信が行なうことができる。
【００２６】
請求項６に記載の発明によれば、追記欄には、ファクシミリ送信を指定するためのファクシミリ送信欄と、電子メール送信を指定するための電子メール送信欄のうち少なくとも一つが含まれる。これにより、送信手段を用いて、ファクシミリ送信又は電子メール送信を行なうことができる。
【００２７】
請求項７に記載の発明によれば、追記欄には、検印欄を含み、送信媒体の読込時に検印
欄への追記が不当である場合は、電子文書の送信を拒否する。従って、所定の承認を得られていない送信ができないように制御することができる。
【００２８】
請求項８に記載の発明によれば、文書送信装置は、電子文書を符号化する符号化手段と、符号化された電子文書を復号する復号手段とを更に備える。そして、印刷手段は、送信媒体識別情報に電子文書を符号化した情報を含めて印刷する。これにより、送信媒体識別情報を文書の内容を効率的に取得することができる。
【００２９】
請求項９に記載の発明によれば、文書送信装置は、一回の送信においてまとめて送信する電子文書を関連付ける情報を記録した関連情報識別手段を更に備える。これにより、送信媒体識別情報に基づいて、関連情報識別手段に記録されている電子文書を特定し、まとめて送信することができる。
【００３０】
請求項１０に記載の発明によれば、送信媒体作成手段は、送信媒体識別情報と宛先情報を印刷した送信依頼票を作成する。そして、送信媒体読込手段が、送信依頼票を読み込んだ場合、送信票を生成し、この送信票を送信する。送信依頼票と送信票とを使い分けることができる。
【発明の効果】
【００３１】
本発明によれば、適切な文書を間違いなく確実に送信することができる。
【発明を実施するための最良の形態】
【００３２】
（第１の実施形態）
以下、本発明を具体化した文書送信装置の一実施形態を図１〜図９に従って説明する。本実施形態では、紙等の送信媒体に出力された送信票を利用して、各種文書を送信する場合に用いる文書送信装置、文書送信方法、および文書送信プログラムとして説明する。
【００３３】
図１は、本発明の第１の実施形態の文書送信装置１０１の機能ブロックと、関連するハードウェアデバイスとの接続関係を示したものである。
本実施形態の文書送信装置１０１は、外部装置との接続のために、ユーザＩ／Ｆ制御部１０２、スキャナＩ／Ｆ制御部１１０、プリンタＩ／Ｆ制御部１１１、ディスクＩ／Ｆ制御部１１２及び送信Ｉ／Ｆ制御部１１３を備える。
【００３４】
ユーザＩ／Ｆ制御部１０２は、キーボード１０４やマウス１０５、タッチパネル１０３などの外部入力デバイスに接続される。このユーザＩ／Ｆ制御部１０２は、外部入力デバイスから文書送信管理処理命令や送信票作成命令等を受け取り、文書管理処理部１１４または送信文書作成部１１７へ供給する。更に、ユーザＩ／Ｆ制御部１０２は、送信文書作成部１１７から受けた表示要求をタッチパネル１０３などの外部出力デバイスへ供給する。
【００３５】
スキャナＩ／Ｆ制御部１１０は、表示媒体（ここでは、送信票等の用紙）を読み取るためのスキャナ１０６に接続される。このスキャナＩ／Ｆ制御部１１０が、スキャナ１０６を操作し、表示媒体上の画像を取得する制御を行ない、その画像を文書管理処理部１１４に供給する。
【００３６】
プリンタＩ／Ｆ制御部１１１は、出力装置としてのプリンタ１０７に接続される。プリンタＩ／Ｆ制御部１１１が、プリンタ１０７を操作し、紙媒体への画像を印刷する制御を行なう。
【００３７】
ディスクＩ／Ｆ制御部１１２は、各種データを記憶するデータ記憶手段としてのディス
ク装置１０８に接続される。このディスクＩ／Ｆ制御部１１２がディスク装置１０８を操作し、指定された電子文書データの取得や格納を行なう。
【００３８】
送信Ｉ／Ｆ制御部１１３は、送信装置１０９に接続される。この送信Ｉ／Ｆ制御部１１３は送信装置１０９を操作し、文書管理処理部１１４から受け取った送信データを送信する制御を行なう。
【００３９】
更に、文書送信装置１０１は、送信媒体読込手段、送信手段としての文書管理処理部１１４、印刷手段としての印刷処理部１１５、送信媒体識別情報管理手段としての紙識別情報管理部１１６、送信媒体作成手段としての送信文書作成部１１７、宛先情報管理手段としての宛先情報管理部１１８を備える。
【００４０】
この文書管理処理部１１４は、送信する電子文書を特定し、この電子文書の宛先情報を取得する送信媒体読込段階や、送信媒体読込段階により取得した電子文書の宛先情報に基づいて、電子文書を送信する送信段階を実行する。このため、スキャナＩ／Ｆ制御部１１０から送られた紙画像を処理して、処理結果を送信Ｉ／Ｆ制御部１１３や印刷処理部１１５に供給する。
【００４１】
印刷処理部１１５は、送信媒体に送信媒体識別情報を付与して印刷する印刷段階を実行する。具体的には、ディスク装置１０８などに格納された電子文書にＩＤコードを付与し、プリンタ１０７で印刷するための画像を作成する。
【００４２】
紙識別情報管理部１１６は、電子文書の各ページと紙識別情報（ＩＤ）が一対一になるようにＩＤテーブルを管理し、ＩＤの登録、削除、参照等を行なう。
送信文書作成部１１７は、送信媒体作成段階を実行し、宛先情報等が記載された送信票を作成し、作成した送信票の保存や印刷要求等を行なう。
【００４３】
宛先情報管理部１１８は、宛名、ファクシミリ番号、電子メールアドレス等の情報を格納した宛先情報テーブルを管理し、宛先情報の登録、削除、参照等を行なう。
なお、本実施形態の文書送信装置は、パーソナルコンピュータ等のコンピュータにより構成することができ、その場合は印刷処理部１１５、宛先情報管理部１１８、送信文書作成部１１７、文書管理処理部１１４はそれぞれの機能をコンピュータに実現させるプログラムとして構成される。
【００４４】
（送信票作成処理）
まず、図２を用いて、ユーザＩ／Ｆ制御部１０２から送信票作成要求を受けたときの送信文書作成部１１７での制御手順を説明する。ここでは、送信本文の電子文書は事前に作成されており、ディスク装置１０８に格納されているものとする。
【００４５】
まず、キーボード１０４やマウス１０５、タッチパネル１０３などの外部入力デバイスに送信票作成要求が入力された場合、送信文書作成部１１７は、ユーザＩ／Ｆ制御部１０２を介して送信票作成要求を取得する（ステップＳ１−１）。
【００４６】
次に、送信文書作成部１１７は、ユーザＩ／Ｆ制御部１０２を介して送信票作成パラメータ情報を取得する（ステップＳ１−２）。具体的には、送信文書作成部１１７は、ユーザＩ／Ｆ制御部１０２を介して送信票作成パラメータ情報の入力を要求する。送信票作成パラメータ情報としては、送信先宛先情報のインデックス、送信元宛先情報のインデックス、送信本文の電子文書名に関する情報がある。
【００４７】
図３に、タッチパネル１０３などにおいて、パラメータ情報の入力を要求するための画
面表示例を示す。入力画面１００１は、先宛先情報のインデックス、送信元宛先情報のインデックス、送信本文の電子文書名を、それぞれテキストボックス１００２、１００３、１００４に入力するインタフェースとなっている。なお、各テキストボックスの右部に配置されている情報参照ボタン１００５〜１００７を押下することによっても選択できる。この場合、宛先情報管理部１１８から取得した宛先情報一覧や、ディスクＩ／Ｆ制御部１１２を介してディスク装置１０８から取得したファイル一覧が表示され、その中から所望の内容を選択することでパラメータを指定することができる。
【００４８】
そして、送信文書作成部１１７は、ステップＳ１−２で取得した送信先宛先情報のインデックス、送信元宛先情報のインデックスを宛先情報管理部１１８に供給し、送信先と送信元の宛先情報を取得する（ステップＳ１−３）。
【００４９】
図４は、宛先情報管理部１１８で管理している宛先情報管理テーブルが格納している情報の一例を示したものである。図４において、各行（例えば、行１１８１の範囲）が一件分の宛先情報となっている。また、第１列には、本テーブルでユニークなインデックスが格納されている。第２列には個人名、第３列には所属している会社・部署名、第４列にはファクシミリ番号、第５列には電子メールアドレスが格納されている。本実施例では、宛先情報管理部１１８にインデックスを供給することによって、宛先情報として第１列の要素が渡されたインデックスと一致する行における第２列〜第５列の各要素を得ることができる。ただし、宛先情報の要素としてはこれらに限定されるものではない。
【００５０】
次に、送信文書作成部１１７は、取得した各情報（送信先宛先情報、送信元宛先情報）から、送信票を作成する（ステップＳ１−４）。送信文書作成部１１７によって作成された送信票の電子文書の例を図５に示す。送信票データ１３０１は、タイトル１３０２や、送信先情報１３０３、送信元情報１３０４に関するデータを含む。このような電子文書は、公知のファクシミリ装置に関する技術を用いて作成することができる。
【００５１】
次に、送信文書作成部１１７は、ディスクＩ／Ｆ制御部１１２を介して、ディスク装置１０８に作成した送信票を保存する。このとき、送信文書作成部１１７は、ディスク装置１０８に保存するときの電子文書名を決定し、この電子文書名を保持しておく（ステップＳ１−５）。
【００５２】
そして、送信文書作成部１１７は、保持しておいた電子文書名と印刷ページ番号を含む印刷要求を印刷処理部１１５に供給する（ステップＳ１−６）。以上により、送信文書作成部１１７における送信票作成を終了する。
【００５３】
（印刷処理）
次に、図６を用いて、送信文書作成部１１７から印刷要求を受けた場合（ステップＳ１−６）の印刷処理部１１５での制御手順を説明する。
【００５４】
まず、印刷処理部１１５は、送信文書作成部１１７から、電子文書名と印刷ページ番号を含む印刷要求を取得する（ステップＳ２−１）。
次に、印刷処理部１１５は、取得した電子文書名と印刷ページ番号を紙識別情報管理部１１６に供給し、登録依頼を行なうとともにＩＤを取得する（ステップＳ２−２）。
【００５５】
図７は、紙識別情報管理部１１６で管理しているＩＤテーブルに格納されている情報の一例を示したものである。図７において、各行がＩＤ登録の１つのレコード１５０５であり、各列が登録要素となっている。第１列には本テーブルで唯一のＩＤが格納される。第２列には電子文書を一意に指定する情報が格納される。ここでは、文書送信装置１０１に接続されているディスク装置１０８内での位置を示すパス名が格納される。第３列では、
電子文書の印刷ページ番号が格納される。複数ページの電子文書を扱う場合、ページ毎にレコードが記憶される。このパス名と印刷ページ番号とを用いて印刷内容を特定することができる。
【００５６】
次に、印刷処理部１１５は、ディスクＩ／Ｆ制御部１１２を介してディスク装置１０８より電子文書ファイルを取り出す（ステップＳ２−３）。この場合、印刷要求に含まれる電子文書名と印刷ページ番号を用いる。
【００５７】
そして、印刷処理部１１５は、このＩＤをバーコードや２次元コード等の画像化を行なう（ステップＳ２−４）。次に、印刷処理部１１５は、スキャン画像のスキュー補正のためのタイミングマークとともに、作成した画像化コードを、電子文書の印刷対象ページに重畳させた印刷画像データを作成する（ステップＳ２−５）。
【００５８】
そして、印刷処理部１１５は、印刷画像データを、プリンタＩ／Ｆ制御部１１１を介してプリンタ１０７に供給する（ステップＳ２−６）。これにより、送信票の印刷が完了する。
【００５９】
図８に、印刷処理部１１５において、送信票データ１３０１を印刷した送信票１６０１の具体例を示す。送信票１６０１には、電子文書内で保持されているコンテンツが印字されたコンテンツ表示領域１６０７を備えている。さらに、送信票１６０１の４端にはタイミングマーク１６０２が表示され、送信票１６０１の位置が規定される。これによりスキャナ１０６等で読み取られた画像が歪んだ場合においても補正が可能である。更に、印刷処理部１１５が紙識別情報管理部１１６から取得したＩＤを貼り付けたコード画像１６０６が表示される。
【００６０】
（文書送信処理）
次に、図９を用いて、ユーザＩ／Ｆ制御部１０２から文書送信管理処理要求を受けたときの文書管理処理部１１４での制御手順を説明する。
【００６１】
まず、文書管理処理部１１４は、ユーザＩ／Ｆ制御部１０２から文書送信管理処理要求を受け取る（ステップＳ３−１）。本実施形態では、この文書送信管理処理要求には、「送信本文確認」、「ファクシミリ送信」や「電子メール送信」等、ユーザが外部入力デバイスを用いて指定した処理内容に関するパラメータを含める。
【００６２】
そして、文書管理処理部１１４は、スキャナＩ／Ｆ制御部１１０を介して送信票のスキャン操作を行ない、スキャン画像を取得する（ステップＳ３−２）。ここでは、図８に示す送信票１６０１のスキャン操作を行なう場合を想定する。
【００６３】
次に、文書管理処理部１１４は、タイミングマーク１６０２を用いて、取得したスキャン画像に対してスキュー補正を行なう（ステップＳ３−３）。これにより、スキャナ１０６等で読み取られた画像の歪みを補正する。
【００６４】
次に、文書管理処理部１１４は、スキャン画像に含まれるコード画像１６０６を検索し、デコードを行なうことによりＩＤを取得する（ステップＳ３−４）。このＩＤを紙識別情報管理部１１６に供給し、その紙の原本である電子文書名を取得する（ステップＳ３−５）。
【００６５】
次に、ディスクＩ／Ｆ制御部１１２を介して、ディスク装置１０８から送信票の電子文書を取得する（ステップＳ３−６）。
次に、文書管理処理部１１４は、「送信本文確認」、「ファクシミリ送信」や「電子メ
ール送信」等、最終的に行なう処理内容を決定する（ステップＳ３−７）。本実施形態では、処理内容の決定には、文書送信管理処理要求時に制御パラメータを利用する。
【００６６】
選択された処理が「送信本文確認処理」の場合、文書管理処理部１１４は、送信本文を印刷処理部１１５に供給し、送信本文の印刷を行なう（ステップＳ３−８）。
一方、選択された処理が「ファクシミリ送信」の場合には、文書管理処理部１１４は、送信票の電子文書の中から送信先のファクシミリ番号を取得する（ステップＳ３−９）。そして、送信票と送信本文の電子文書の画像化を行なう（ステップＳ３−１０）。更に、ファクシミリ番号および送信票と送信本文の画像を送信Ｉ／Ｆ制御部１１３に供給してファクシミリ送信を行なう（ステップＳ３−１１）。ここでは、送信票以降に読み込まれた紙を送信本文として、そのスキャン画像の送信処理を実行する。
【００６７】
また、選択された処理が「電子メール送信」の場合には、送信票の電子文書の中から送信先の電子メールアドレスを取得する（ステップＳ３−１２）。そして、送信票と送信本文の電子文書をＭＩＭＥ（Multipurpose Internet Mail Extension）化を行なう（ステップＳ３−１３）。ここでは、送信票以降に読み込まれた紙を送信本文として、そのスキャン画像を送信することによりＭＩＭＥ化を実行する。そして、送信先電子メールアドレスおよび送信票と送信本文のＭＩＭＥデータを送信Ｉ／Ｆ制御部１１３に供給して電子メールの送信を行なう（ステップＳ３−１４）。この場合も、送信票以降に読み込まれた紙を送信本文として、そのスキャン画像を送信する。
【００６８】
上記実施形態の文書送信装置によれば、以下のような効果を得ることができる。
・  上記実施形態では、事前に作成された送信本文の電子文書がディスク装置１０８に格納される。そして、送信文書作成部１１７は、ユーザＩ／Ｆ制御部１０２を介して送信票作成パラメータ情報を取得する。この送信票作成パラメータ情報には、送信先宛先情報のインデックスや送信本文の電子文書名が含まれる。そして、印刷要求を受けた印刷処理部１１５は、取得した電子文書名と印刷ページ番号を紙識別情報管理部１１６に供給し、登録依頼を行なうとともにＩＤを取得する。そして、印刷処理部１１５は、このＩＤをバーコードや２次元コード等に画像化を行ない、プリンタ１０７において、送信票の印刷を行なう。そして、ファクシミリや電子メール送信時には、このコード画像１６０６を読み取り、電子文書を取得する。そして、送信本文確認処理（ステップＳ３−８）、ファクシミリ送信処理（ステップＳ３−９〜Ｓ３−１１）、電子メール送信処理（ステップＳ３−１２〜Ｓ３−１４）を実行する。これにより、ファクシミリ送信や電子メール送信の際に宛先を打ち込む必要がなく、誤送信を防止することができる。
【００６９】
更に、送信票等の紙媒体を用いる場合でも、ファクシミリ送信だけでなく、電子メール送信を行なうことができる。更に、送信票をスキャンするだけで、送信本文も一緒にファクシミリ送信や電子メール送信を行なうことができる。
【００７０】
（第２の実施形態）
次に、本発明を具体化した文書送信装置の第２の実施形態を図１０に従って説明する。なお、第２の実施形態は、第１の実施形態における単体装置構成をネットワーク構成に変更した構成であるため、同様の部分についてはその詳細な説明を省略する。
【００７１】
図１０は、第２の実施形態の文書送信装置２０１の機能ブロックと、関連するハードウェアデバイス、外部装置との接続関係を示したものである。
第１の実施形態における文書送信装置１０１はスキャン、電子画像の印刷、電子文書の格納、送信データの送信をすべて文書送信装置１０１に直接接続されたハードウェアデバイスで実現する構成に対し、第２の実施形態の文書送信装置２０１は端末のハードウェアをネットワーク上に配置し、それをリモートから利用する構成になっている。
【００７２】
図１０の中で、文書送信装置１０１と基本機能が同等な機能ブロック、ハードウェアデバイスには同じ番号を付与しており、その説明は省略する。文書送信装置２０１はネットワークＩ／Ｆ制御部２０２を介してＬＡＮ（Local Area Network）などの外部ネットワーク２０３に接続されている。外部ネットワーク２０３上には文書送信装置２０１と通信可能なネットワークスキャナ２０４、ネットワークプリンタ２０５、ネットワークサーバ２０６、ネットワーク対応送信装置２０７等が接続されている。
【００７３】
このネットワークＩ／Ｆ制御部２０２が、スキャナＩ／Ｆ制御部１１０、プリンタＩ／Ｆ制御部１１１、ディスクＩ／Ｆ制御部１１２及び送信Ｉ／Ｆ制御部１１３の代わりに機能する。そして、文書の格納、取得などの操作を、外部ネットワーク２０３上の各装置（２０４〜２０７）に、遠隔操作により指示する。
【００７４】
従って、第２の実施形態によれば、第１の実施形態に記載の効果に加えて以下の効果を得ることができる。
・  上記実施形態では、文書送信装置２０１はネットワークＩ／Ｆ制御部２０２を介してＬＡＮなどの外部ネットワーク２０３に接続されている。外部ネットワーク２０３上には文書送信装置２０１と通信可能なネットワークスキャナ２０４、ネットワークプリンタ２０５、ネットワークサーバ２０６、ネットワーク対応送信装置２０７等が接続されている。これにより、ネットワークスキャナ２０４によるスキャン、ネットワークプリンタ２０５による電子画像の印刷、ネットワークサーバ２０６による電子文書の格納、ネットワーク対応送信装置２０７による送信データの送信等の機能を実現することができる。なお、この機能の一部を、実施形態１のように内部に備え、それ以外を第２の実施形態のように外部装置を利用することで実現することも可能である。
【００７５】
（第３の実施形態）
次に、本発明を具体化した文書送信装置の第３の実施形態を図１１〜図１６に従って説明する。なお、第３の実施形態は、第１の実施形態の文書送信装置に追記処理の機能部を加えた構成であるため、同様の部分についてはその詳細な説明を省略する。
【００７６】
図１１は、本発明の第３の実施形態の文書送信装置３０１の機能ブロックと、関連するハードウェアデバイスとの接続関係を示したものである。
文書送信装置３０１は、第１の実施形態における文書送信装置１０１に追記欄生成部３０２、追記解釈手段としての追記解釈部３０３を加えた構成になっている。更に、本実施形態では、文書管理処理部１１４が処理内容決定手段として機能する。なお、図１で示した文書送信装置と同等の機能ブロックについては同じ番号を付与しており、その説明は省略する。
【００７７】
追記欄生成部３０２は送信文書作成部１１７から追記欄生成命令を受け取り、追記欄のデータを送信文書作成部１１７に供給する。また、追記解釈部３０３は、文書管理処理部１１４から追記欄確認要求を受け取り、追記欄に追記があるかどうかを確認し、その結果を文書管理処理部１１４に供給する。
【００７８】
なお、本実施形態の文書送信装置３０１は、パーソナルコンピュータ等のコンピュータにより構成することができ、追記欄生成部３０２、追記解釈部３０３はそれぞれの機能をコンピュータに実現させるプログラムとして構成される。
【００７９】
（追記欄生成処理）
この場合、図１２に示すように、送信票作成処理において、ステップＳ１−４の送信票作成の前に、送信文書作成部１１７は追記欄生成部３０２から追記欄データを取得する（
ステップＳ１−３ａ）。この処理を以下に説明する。
【００８０】
この場合、追記欄生成部３０２は、送信文書作成部１１７より追記欄生成要求を受け取る（ステップＳ４−１）。
そして、追記欄生成部３０２は、追記欄を表示させるためのデータを生成する（ステップＳ４−２）。ここでは追記欄として検印欄、ファクシミリ送信欄、電子メール送信欄、送信本文確認欄のデータが生成される。なお、追記欄の内容はこれらの限定されるものではなく、これらのうちの一部がない場合や他の追記欄を加えた構成も可能である。また、生成する追記欄の種類と数、およびその位置やサイズを送信票作成パラメータの一部として設け、ステップＳ１−２におけるユーザＩ／Ｆ制御部１０２での送信票作成パラメータ情報入力時に指定するようにしてもよい。
【００８１】
そして、追記欄生成部３０２は、生成した追記欄のデータを送信文書作成部１１７に供給する（ステップＳ４−３）。
この送信文書作成部１１７によって作成された送信票の電子文書の例を図１３に示す。送信票データ１４０１には、送信票データ１３０１に含まれる各データの他に、追記欄である検印欄１３０５、ファクシミリ送信欄１３０６、電子メール送信欄１３０７、送信本文確認欄１３０８に関するデータが含まれる。各追記欄（１３０５〜１３０７）の中には記入部（１３０９〜１３１４）が設けられている。各記入部（１３０９〜１３１４）には、その領域内に追記があった場合に追記をどのような情報として保持するかが定義されている。送信票データ１４０１の例では、記入部（１３０９〜１３１４）のすべてにおいて、その領域内に「追記があるか」を表わすＢＯＯＬ値として保存する。また、他の例としては、記入部の領域内に書かれた追記をイメージ画像としてそのまま保持することなどもできる。
【００８２】
図１４に、送信票データ１４０１を印刷処理部１１５において印刷した送信票１７０１の具体例を示す。送信票１７０１には、電子文書内で保持されているコンテンツが印字されたコンテンツ表示領域１７０７を備えている。この送信票１７０１には、図８に示す送信票１６０１に加えて、各追記欄（１３０５〜１３０８）に対応する欄が印刷される。
【００８３】
そして、この送信票１７０１が利用された場合の例を図１５に示す。この送信票１８０１の例では、検印欄１３０５のすべての記入部に追記１８０２〜１８０４があり、記入部（１３１３、１３１４）には追記がなく、ファクシミリ送信欄１３０６の記入部１３１２には追記１８０５がある場合を想定する。
【００８４】
文書送信処理において、文書管理処理部１１４は、追記解釈部３０３に送信票の電子文書とスキャン画像を供給して追記解釈要求を行なう。そして、取得した解釈結果に基づいて、「送信本文確認」、「ファクシミリ送信」や「電子メール送信」等の最終的な処理内容を決定する（ステップＳ３−７）。
【００８５】
（追記解釈処理）
次に、図１６を用いて、文書管理処理部１１４から印刷要求を受けたときの追記解釈部３０３における制御手順を説明する。
【００８６】
まず、追記解釈部３０３は、文書管理処理部１１４より追記解釈要求とともに送信票の電子文書とスキャン画像を取得する（ステップＳ５−１）。
そして、追記解釈部３０３は、送信票の電子文書を画像化し、スキャン画像との差分を取得する（ステップＳ５−２）。これにより、追記部分が抽出された差分画像ができる。次に、差分画像を各記入部の領域に合わせてトリミングした部分画像を生成する（ステップＳ５−３）。
【００８７】
そして、追記解釈部３０３は、生成した部分画像から、各記入部に対応する情報を取得する（ステップＳ５−４）。送信票１８０１の例では、前述した通り記入部１３０９〜１３１４に対応する情報としてその領域内に「追記があるか」を表すＢＯＯＬ値を取得する。記入部１３０９〜１３１２にはその領域内に追記１８０２〜１８０５が存在するので、対応する情報として「ＴＲＵＥ」を取得する。また、記入部１３１３、１３１４には追記が存在しないので、対応する情報として「ＦＡＬＳＥ」を取得する。この「ＴＲＵＥ」、「ＦＡＬＳＥ」によってステップＳ５−５〜Ｓ５−８での追記有無の判定を行なう。
【００８８】
具体的には、追記解釈部３０３は、検印欄のすべての記入部に追記があるかどうかを調べる（ステップＳ５−５）。検印欄に記入漏れがある場合（ステップＳ５−５において「ＮＯ」の場合）、解釈結果として「検印欄記入漏れ」を文書管理処理部１１４に供給して処理を終了する（ステップＳ５−１０）。
【００８９】
検印欄のすべての記入部に追記がある場合（ステップＳ５−５において「ＹＥＳ」の場合）、追記解釈部３０３は、送信本文確認欄の記入部に追記があるかどうかを調べる（ステップＳ５−６）。ここで、追記がある場合（ステップＳ５−６において「ＹＥＳ」の場合）には、解釈結果として「送信本文確認操作」を文書管理処理部１１４に供給して処理を終了する（ステップＳ５−１１）。この場合、文書送信処理において、文書管理処理部１１４は、ステップＳ３−８を実行することになる。
【００９０】
一方、送信本文確認欄の記入部に追記がない場合（ステップＳ５−６において「ＮＯ」の場合）、追記解釈部３０３は、ファクシミリ送信欄の記入部に追記があるかどうかを調べる（ステップＳ５−７）。
【００９１】
ファクシミリ送信欄の記入部に追記がある場合（ステップＳ５−７において「ＹＥＳ」の場合）には、解釈結果として「ファクシミリ送信操作」を文書管理処理部１１４に供給して終了する（ステップＳ５−１２）。この場合、文書送信処理において、文書管理処理部１１４は、ステップＳ３−９〜Ｓ３−１１を実行することになる。
【００９２】
一方、電子メール送信欄の記入部に追記がある場合（ステップＳ５−８において「ＹＥＳ」の場合）には、解釈結果として「電子メール送信操作」を文書管理処理部１１４に供給して終了する（ステップＳ５−１３）。この場合、文書送信処理において、文書管理処理部１１４は、ステップＳ３−１２〜Ｓ３−１４を実行することになる。
【００９３】
電子メール送信欄の記入部に追記がない場合（ステップＳ５−８において「ＮＯ」の場合）には、解釈結果として「操作指定なし」を文書管理処理部１１４に供給して終了する（ステップＳ５−９）。
【００９４】
図１５に示す送信票１８０１では、検印欄１３０５のすべての記入部１３０９〜１３１１に追記１８０２〜１８０４があり、ファクシミリ送信欄１３０６の記入部１３１２には追記１８０５があるので、解釈結果として「ファクシミリ送信操作」を得る。
【００９５】
従って、第３の実施形態によれば、第１の実施形態に記載の効果に加えて以下の効果を得ることができる。
・  上記実施形態では、文書送信装置３０１は、追記欄生成部３０２、追記解釈部３０３を備える。そして、追記解釈部３０３が、送信票の電子文書を画像化し、スキャン画像との差分を取得し、生成した部分画像から、各記入部に対応する情報を取得する。そして、この情報に応じた処理を実行する。具体的には、スキャン時に検印欄の検印有無をチェックし、検印がないと本文の送信（ファクシミリ送信や電子メール送信）を拒否する。こ
れにより、送信の可否を確認するために回覧を行なう場合があり、所定の権限者の承認が行なわれていない送信を抑制することができる。
【００９６】
また、送信本文確認欄への追記がある場合には、送信本文が印刷されるので、送信内容を確認することができる。更に、ファクシミリ送信欄や電子メール送信欄の記入部に追記がある場合には、それぞれ宛先情報管理部１１８で管理している宛先情報管理テーブルに記録された宛先に送信される。従って、追記を行なうことにより、各通信手段により効率的に送信を行なうことができる。
【００９７】
（第４の実施形態）
次に、本発明を具体化した文書送信装置の第４の実施形態を図１７に従って説明する。なお、第４の実施形態は、第２の実施形態の文書送信装置に追記処理の機能部を加えた構成であるため、同様の部分についてはその詳細な説明を省略する。
【００９８】
図１７は、第４の実施形態の文書送信装置４０１の機能ブロックと、関連するハードウェアデバイス、外部装置との接続関係を示したものである。
文書送信装置４０１は、第２の実施形態における文書送信装置２０１に追記欄生成部３０２、追記解釈部３０３を加えた構成になっている。すなわち、第３の実施形態における文書送信装置３０１に直接接続されていた端末のハードウェアをネットワーク上に配置し、それをリモートから利用する構成になっている。なお、第２、第３の実施形態で示した文書送信装置と同等の機能ブロックについては同じ番号を付与しており、その説明は省略する。
【００９９】
従って、第４の実施形態によれば、第３の実施形態に記載の効果に加えて以下の効果を得ることができる。
・  上記実施形態では、文書送信装置４０１は、追記欄生成部３０２と追記解釈部３０３とを備える。これにより、ネットワーク上の機器を利用して、追記処理を実現することができる。
【０１００】
（第５の実施形態）
次に、本発明を具体化した文書送信装置の第５の実施形態を図１８〜図２０に従って説明する。なお、第５の実施形態は、第１の実施形態の文書送信装置に符号化処理の機能部を加えた構成であるため、同様の部分についてはその詳細な説明を省略する。
【０１０１】
図１８は、本発明での第５の実施形態の文書送信装置５０１の機能ブロックと、関連するハードウェアデバイスとの接続関係を示したものである。
文書送信装置５０１は、第１の実施形態における文書送信装置１０１に送信本文符号化部５０２、送信本文復号部５０３を加えた構成になっている。なお、図１で示した文書送信装置と同等の機能ブロックについては同じ番号を付与しており、その説明は省略する。
【０１０２】
送信本文符号化部５０２は送信文書作成部１１７から送信本文符号化要求を受け取り、送信本文の符号化データを送信文書作成部１１７に供給する。また、送信本文復号部５０３は、文書管理処理部１１４から送信本文復号要求を受け取り、復号した送信本文を文書管理処理部１１４に供給する。
【０１０３】
なお、本実施形態の文書送信装置５０１は、パーソナルコンピュータ等のコンピュータにより構成することができ、その場合は送信本文符号化部５０２、送信本文復号部５０３はそれぞれの機能をコンピュータに実現させるプログラムとして構成される。
【０１０４】
（符号化処理）
この場合、図１９に示すように、送信票作成処理において、ステップＳ１−４の送信票作成の前に、送信文書作成部１１７は送信本文復号部５０３から送信本文の符号化データを取得する（ステップＳ１−３ｂ）。
【０１０５】
この場合、送信本文符号化部５０２は、まず、送信文書作成部１１７より送信本文の電子文書名とともに送信本文符号化要求を受け取る（ステップＳ６−１）。
そして、送信本文符号化部５０２は、電子文書名からディスクＩ／Ｆ制御部１１２を介して、ディスク装置１０８から送信本文の電子文書を取得する（ステップＳ６−２）。
【０１０６】
次に、送信本文符号化部５０２は、取得した送信本文の電子文書を所定の方法で符号化する（ステップＳ６−３）。このとき、所定の方法はあらかじめ固定のものを装置内で決めておく。あるいは、符号化方法を送信票作成パラメータの一つとして設け、ステップＳ１−２におけるユーザＩ／Ｆ制御部１０２での送信票作成パラメータ情報入力時に複数の符号化方法の中から１つを指定するようにしてもよい。そのときには、指定された符号化方法を特定するためのデータも符号化データに含める。
【０１０７】
そして、送信本文符号化部５０２は、送信本文の符号化データを送信文書作成部１１７に供給する（ステップＳ６−４）。符号化データを受けた送信文書作成部１１７は、符号化データをコード画像に埋め込んだ送信票を作成する。
【０１０８】
（復号処理）
次に、符号化処理を行なった場合の文書送信処理について説明する。図２０は、文書管理処理部１１４から送信本文復号要求を受けたときの送信本文復号部５０３での制御手順である。この場合には、図９に示す文書送信処理と異なり、ステップＳ３−６の後で、送信本文復号部５０３に復号要求を行ない、送信本文を取得する（ステップＳ３−６ａ）。
【０１０９】
この場合、まず、送信本文復号部５０３は、文書管理処理部１１４より送信本文復号要求とともに送信本文の符号化データを取得する（ステップＳ７−１）。
次に、送信本文復号部５０３は、ステップＳ７−３で送信本文を符号化したときの符号化方法に対応する復号方法を用いて送信本文の符号化データを復号し、送信本文の電子文書を取得する（ステップＳ７−２）。
【０１１０】
そして、送信本文復号部５０３は、取得した送信本文の電子文書を文書管理処理部１１４に供給する（ステップＳ７−３）。
上記実施形態の文書送信装置によれば、以下のような効果を得ることができる。
【０１１１】
・  上記実施形態では、文書送信装置５０１は、送信本文符号化部５０２と送信本文復号部５０３とを備える。そして、送信本文符号化部５０２は、電子文書名からディスクＩ／Ｆ制御部１１２を介してディスク装置１０８から送信本文の電子文書を取得し、符号化データを生成する。この符号化データは送信票に埋め込まれる。そして、送信本文復号部５０３は、符号化データを復号し、送信本文の電子文書を取得する。これにより、文書送信装置５０１は、送信票を利用して送信本文を取得して、効率的に文書を送信することができる。
【０１１２】
（第６の実施形態）
次に、本発明を具体化した文書送信装置の第６の実施形態を図２１に従って説明する。なお、第６の実施形態は、第２の実施形態の文書送信装置に符号化処理の機能部を加えた構成であるため、同様の部分についてはその詳細な説明を省略する。
【０１１３】
図２１は、本発明の第６の実施形態の文書送信装置６０１の機能ブロックと、関連する
ハードウェアデバイス、外部装置との接続関係を示したものである。
文書送信装置６０１は、第２の実施形態における文書送信装置２０１に送信本文符号化部５０２、送信本文復号部５０３を加えた構成になっている。すなわち、第５の実施形態における文書送信装置５０１に直接接続されていた端末のハードウェアをネットワーク上に配置し、それをリモートから利用する構成になっている。なお、第２、第５の実施形態で示した文書送信装置と同等の機能ブロックについては同じ番号を付与しており、その説明は省略する。
【０１１４】
従って、第６の実施形態によれば、第５の実施形態に記載の効果に加えて以下の効果を得ることができる。
・  文書送信装置６０１は、送信本文符号化部５０２と送信本文復号部５０３とを備える。これにより、ネットワーク上の機器を利用して、符号化処理や復号処理を実現することができる。
【０１１５】
（第７の実施形態）
次に、本発明を具体化した文書送信装置の第７の実施形態を図２２に従って説明する。なお、第７の実施形態は、第１の実施形態の文書送信装置に追記処理及び符号化処理を加えた構成であるため、同様の部分についてはその詳細な説明を省略する。
【０１１６】
図２２は、本発明の第７の実施形態の文書送信装置７０１の機能ブロックと、関連するハードウェアデバイスとの接続関係を示したものである。
文書送信装置７０１は、第１の実施形態における文書送信装置１０１に追記欄生成部３０２と追記解釈部３０３、および送信本文符号化部５０２と送信本文復号部５０３を加えた構成になっている。なお、第１、第３、第５の実施形態の文書送信装置と同等の機能ブロックについては同じ番号を付与しており、その説明は省略する。
【０１１７】
従って、第７の実施形態によれば、第３、第５の実施形態に記載の効果に加えて以下の効果を得ることができる。
・  上記実施形態では、文書送信装置７０１は、追記欄生成部３０２と追記解釈部３０３、及び送信本文符号化部５０２と送信本文復号部５０３とを備える。これにより、追記欄生成処理や追記解釈処理、本文の符号化処理や復号処理を実現することができる。
【０１１８】
（第８の実施形態）
次に、本発明を具体化した文書送信装置の第８の実施形態を図２３に従って説明する。なお、第８の実施形態は、第２の実施形態の文書送信装置に追記処理及び符号化処理の機能部を加えた構成であるため、同様の部分についてはその詳細な説明を省略する。
【０１１９】
図２３は、本発明での第８の実施形態の文書送信装置８０１の機能ブロックと、関連するハードウェアデバイス、外部装置との接続関係を示したものである。
文書送信装置８０１は、第２の実施形態における文書送信装置２０１に追記欄生成部３０２と追記解釈部３０３、および送信本文符号化部５０２と送信本文復号部５０３を加えた構成になっている。すなわち、第７の実施形態における文書送信装置７０１に直接接続されていた端末のハードウェアをネットワーク上に配置し、それをリモートから利用する構成になっている。なお、図２、図４、図６で示した文書送信装置と同等の機能ブロックについては同じ番号を付与しており、その説明は省略する。
【０１２０】
従って、第８の実施形態によれば、第７の実施形態に記載の効果に加えて以下の効果を得ることができる。
・  上記実施形態では、文書送信装置８０１は、追記欄生成部３０２と追記解釈部３０３、及び送信本文符号化部５０２と送信本文復号部５０３とを備える。これにより、ネッ
トワーク上の機器を利用して、追記欄生成処理や追記解釈処理、本文の符号化処理や復号処理を実現することができる。
【０１２１】
（第９の実施形態）
次に、本発明を具体化した文書送信装置の第９の実施形態を図２４〜図２６に従って説明する。なお、第９の実施形態は、第１の実施形態に、関連紙識別情報管理部を加えた構成であるため、同様の部分についてはその詳細な説明を省略する。
【０１２２】
この関連紙識別情報管理部は、複数の紙識別情報の関係を管理する。具体的には、関連紙識別情報管理部では、送信票と送信文書の紙識別情報を管理する。例えば、識別情報列は、一つの送信票の紙識別情報に対して、送信文書の紙識別情報が１つ又は複数で構成される。
【０１２３】
図２４を用いて、送信文書印刷時に未印刷の送信票との関連付けと、送信文書と送信票の両方の印刷を行なう制御手順を説明する。
送信文書作成部１１７は、印刷命令の発行まで待機する（ステップＳ４−１）。ユーザはタッチパネル１０３やキーボード１０４、マウス１０５を用いて送信文書を印刷する際に、ユーザＩ／Ｆ制御部１０２を介し送信文書作成部１１７に印刷命令を発行する。
【０１２４】
印刷命令を受信した送信文書作成部１１７は、編集中の文書に対し変更があったか否かの識別を行なう（ステップＳ４−２）。変更があった場合は、ユーザＩ／Ｆ制御部１０２を介し、ユーザによる選択によって文書保存先を決定する。そして、送信文書作成部１１７は、決定した文書保存先を元に、ディスクＩ／Ｆ制御部１１２に編集中の文書を供給して文書を保存する（ステップＳ４−３）。編集中の文書に対して変更がない場合は、上述の保存処理は省略する。
【０１２５】
次に、送信文書作成部１１７は、紙識別情報管理部１１６に送信文書情報（保存先／印刷ページ範囲／印刷部数など）を供給する。そして、紙識別情報管理部１１６からの応答として印刷枚数分の紙識別情報を取得する（ステップＳ４−４）。
【０１２６】
次に、送信文書作成部１１７は、紙識別情報管理部１１６から取得した送信文書の紙識別情報をコード化した図形を作成する（ステップＳ４−５）。このコード化した図形を送信文書の印刷イメージに重畳した後に、プリンタＩ／Ｆ制御部１１１に印刷対象の送信文書の印刷イメージを供給して印刷を行なう。
【０１２７】
次に、ユーザにファクシミリ送信先を選択させるために、ユーザＩ／Ｆ制御部１０２は宛先情報管理部１１８に宛先一覧取得要求を行なう（ステップＳ４−６）。そして、宛先情報管理部１１８からの応答として宛先一覧を取得し、ユーザに対し宛先候補一覧を提示する。
【０１２８】
そして、ユーザによる宛先一覧からの宛先の選択、または宛先一覧にはない新規宛先の入力、または処理の取り消しが行われるまで待機する（ステップＳ４−７）。取り消しが行われた場合（ステップＳ４−７において「ＹＥＳ」の場合）には、ファクシミリ送信表は印刷せずに終了する。
【０１２９】
ユーザによって宛先一覧からの宛先の選択、または宛先一覧にはない新規宛先の入力が行われた場合は、送信票電子文書の文書保存先をユーザＩ／Ｆ制御部１０２を介しユーザに決定を促す。そして、選択された宛先情報と文書保存先を送信文書作成部１１７へ供給する。
【０１３０】
送信文書作成部１１７は、所定の送信票電子文書の雛形の送信宛先欄に、ユーザにより選択または入力された宛先を挿入する。そして、ユーザにより指定された送信票電子文書の文書保存先を用いて、ディスクＩ／Ｆ制御部１１２に供給する。そして、送信票電子文書を保存する（ステップＳ４−８）。また、保存先は宛先や時間などを用いて自動的で決定してもよい。
【０１３１】
次に、送信票の紙識別情報を取得するために、紙識別情報管理部１１６に送信票の情報（保存先など）を供給し、紙識別情報管理部１１６からの応答として送信票の紙識別情報を取得する（ステップＳ４−９）。
【０１３２】
次に、取得した送信票の紙識別情報をコード化した図形を作成する。そして、この図形を送信票の印刷イメージに重畳する。この印刷対象の送信票の印刷イメージを、プリンタＩ／Ｆ制御部１１１に供給して印刷を行なう（ステップＳ４−１０）。
【０１３３】
以上の処理で得られた送信文書の各ページの紙識別情報と送信票の紙識別情報を関連付けて管理しておくため、送信文書作成部１１７が取得済みのすべての紙識別情報を関連紙識別情報管理部に供給する（ステップＳ４−１１）。以上の処理により、図２５に示すように、コード化した図形が重畳された送信文書及び送信票の印刷が行われる。更に、関連紙識別情報管理部において、送信文書と送信票とが関連付けられて記録されることになる。
【０１３４】
（送信処理）
次に画像送信時の処理について述べる。図２６は、関連紙識別情報管理部よって関連付けが管理されている送信票と送信文書に対し、送信時に関連付けのチェックを行なう実施例である。まず、文書管理処理部１１４は、ユーザからの処理開始指示をユーザＩ／Ｆ制御部１０２を介して受信すると、スキャナＩ／Ｆ制御部２０９を介し、スキャナ１０６から１ないし複数の画像を取得する（ステップＳ５−１）。
【０１３５】
そして、文書管理処理部１１４は、取得した各画像に対し、紙識別情報をコード化した図形が画像内に存在するかをチェックし、存在しなければその画像は以後のステップにおいて使用しない（ステップＳ５−２）。
【０１３６】
次に、文書管理処理部１１４は、各画像内の紙識別情報をコード化した図形から紙識別情報への変換を行なう（ステップＳ５−３）。各画像から取得した複数の紙識別情報からなる紙識別情報の組を関連紙識別情報管理部に供給する（ステップＳ５−４）。
【０１３７】
更に、関連紙識別情報管理部は、供給を受けた紙識別情報の組の中に、送信票の紙識別情報とそれに関連付けられた送信文書の紙識別情報がすべて含まれるか否かのチェックを行なう（ステップＳ５−５）。
【０１３８】
関連紙識別情報管理部からチェック結果として紙識別情報組が供給されなかった場合（ステップＳ５−５において「ＮＯ」の場合）、ユーザＩ／Ｆ制御部１０２を介し、スキャナに設置された紙が不正である旨をユーザに通知し終了する（ステップＳ５−６）。
【０１３９】
一方、受信した紙識別情報列が１つないし複数であれば、文書管理処理部１１４は、供給された紙識別情報列中の紙識別情報を紙識別情報管理部１１６に供給し、各画像の元となった電子文書の保存先とページ位置を取得する（ステップＳ５−７）。そして、ディスクＩ／Ｆ制御部１１２を介して、各画像の元となった電子文書を取得する（ステップＳ５−８）。
【０１４０】
取得した電子文書とページ位置から印刷前の画像を生成することが可能となり、ここで生成した画像を画像送信Ｉ／Ｆ制御部２１０へ供給してファクシミリ送信を行なう（ステップＳ５−９）。この場合、関連紙識別情報管理部から送信される紙識別情報列は、その順序を画像の送信順序に合わせて文書管理処理部１１４に供給する。そして、この順序で、ファクシミリ送信を行なう。
【０１４１】
従って、第９の実施形態によれば、以下の効果を得ることができる。
・  上記実施形態では、送信文書の紙識別情報をコード化した図形を、送信文書の印刷イメージ及び送信票の印刷イメージに重畳して印刷する。そして、文書管理処理部１１４は、供給を受けた紙識別情報の組の中に、送信票の紙識別情報とそれに関連付けられた送信文書の紙識別情報がすべて含まれるか否かのチェックを行なう（ステップＳ５−５）。これにより、画像送信の際に、送信すべきではない紙が混在した状況でも、送信すべき画像のみを適切に画像送信することが可能となる。
【０１４２】
・  上記実施形態では、文書管理処理部１１４は、供給された紙識別情報列中の紙識別情報を紙識別情報管理部１１６に供給し、各画像の元となった電子文書の保存先とページ位置を取得する（ステップＳ５−７）。そして、ディスクＩ／Ｆ制御部１１２を介して、各画像の元となった電子文書を取得する（ステップＳ５−８）。これにより、一度印刷された後にスキャナから画像化することで劣化してしまった画像を利用することがないため、画像送信に用いる画像品質が向上する。
【０１４３】
・  上記実施形態では、関連紙識別情報管理部から送信される紙識別情報列は、その順序を画像の送信順序に合わせて文書管理処理部１１４に送信する。これにより、文書管理処理部１１４において関連紙識別情報管理部から受け取った紙識別情報の列の順序に対応する順序に画像を並び替えることも可能となる。従って、画像送信時に取得する画像の順序が不適切だった場合でも、正しい順序に画像を並び替えて送信することができる。
【０１４４】
（第１０の実施形態）
次に、本発明を具体化した文書送信装置の第１０の実施形態を図２７に従って説明する。なお、第１０の実施形態は、第９の実施形態の文書送信装置に関する他の構成であるため、同様の部分についてはその詳細な説明を省略する。ここでは、関連紙識別情報管理部は先の実施例と同等のものが利用可能である。
【０１４５】
図２７においては、送信文書作成部１１７は、印刷命令の発行まで待機する（ステップＳ６−１）。ユーザはタッチパネル１０３、キーボード１０４、マウス１０５を用いて送信票を印刷する際に、ユーザＩ／Ｆ制御部１０２を介し送信文書作成部１１７に印刷命令を入力する。
【０１４６】
印刷命令を受信した送信文書作成部１１７は、宛先情報管理部３０６に宛先一覧取得要求を行ない、宛先情報管理部３０６からの応答として宛先一覧を取得し、ユーザに対し宛先候補一覧を提示する（ステップＳ６−２）。
【０１４７】
この時、送信文書作成部１１７は、ユーザによる宛先一覧からの宛先の選択、または宛先一覧にはない新規宛先の入力、または処理の取り消しが行われるまで待機する（ステップＳ６−３）。取り消しが行われた場合（ステップＳ６−３において「ＹＥＳ」の場合）、送信票印刷を取り消す。
【０１４８】
ユーザによって宛先一覧からの宛先の選択、または宛先一覧にはない新規宛先の入力が行われた場合（ステップＳ６−３において「ＮＯ」の場合）、送信文書作成部１１７は、選択または入力された宛先を送信票電子文書の送信宛先欄に挿入し、保存する（ステップ
Ｓ６−４）。この場合、時間や宛先などを用いて一意となる名称を付与しておく。
【０１４９】
次に、送信文書作成部１１７は、紙識別情報管理部１１６に送信票の情報（保存先など）を供給し、送信票の紙識別情報を取得する（ステップＳ６−５）。
送信文書作成部１１７は、紙識別情報管理部１１６からの応答として得られる紙識別情報をコード化した図形を作成し、その図形を送信票の印刷イメージへと重畳した後に、プリンタＩ／Ｆ制御部３０５に印刷対象の送信票の印刷イメージを供給して印刷を行なう（ステップＳ６−６）。
【０１５０】
次に、送信文書作成部１１７は、ユーザＩ／Ｆ制御部１０２を介して、印刷を行った送信票と関連付ける送信文書の決定をユーザに促す。そして、ユーザが選択した送信文書の電子文書情報を取得する（ステップＳ６−７）。
【０１５１】
送信文書作成部１１７は、選択された送信文書の印刷イメージを作成するとともに、送信文書情報（保存先／印刷ページ範囲／印刷部数など）を紙識別情報管理部１１６に供給する（ステップＳ６−８）。そして、紙識別情報管理部１１６からの応答として印刷枚数分の紙識別情報を取得する。
【０１５２】
次に、送信文書作成部１１７は、取得した送信文書の紙識別情報をコード化した図形を作成し、その図形を送信文書の印刷イメージへと重畳する。そして、この印刷対象の送信文書の印刷イメージを、プリンタＩ／Ｆ制御部３０５に供給して印刷を行なう（ステップＳ６−９）。
【０１５３】
そして、以上の処理で得られた送信文書の各ページの紙識別情報と送信票の紙識別情報を関連付けて管理しておくため、送信文書作成部１１７が取得済みのすべての紙識別情報を関連紙識別情報管理部３０７に供給する（ステップＳ６−１０）。
【０１５４】
従って、第１０の実施形態によっても、第９の実施形態の効果に加えて以下の効果を得ることができる。
・  送信文書作成部１１７は、プリンタＩ／Ｆ制御部３０５に印刷対象の送信票の印刷イメージを供給して印刷行なう（ステップＳ６−６）。次に、送信文書作成部１１７は、ユーザＩ／Ｆ制御部１０２を介して、印刷を行った送信票と関連付ける送信文書の決定をユーザに促し、送信文書の電子文書情報を取得する（ステップＳ６−７）。これにより、送信票の印刷後に送信する文書の関連付けを行なうことができる。
【０１５５】
（第１１の実施形態）
次に、本発明を具体化した文書送信装置の第１１の実施形態を図２８に従って説明する。なお、第１１の実施形態は、第９の実施形態の文書送信装置に関する他の構成であるため、同様の部分についてはその詳細な説明を省略する。ここでは、関連紙識別情報管理部は先の実施例と同等のものが利用可能である。
【０１５６】
図２８においては、文書管理処理部１１４は、ユーザからの処理開始指示をユーザＩ／Ｆ制御部１０２を介して取得すると、スキャナＩ／Ｆ制御部２０９を介し、スキャナ１０６から１ないし複数の画像を取得する（ステップＳ７−１）。
【０１５７】
取得したすべての画像に対し、紙識別情報をコード化した図形が存在するか否かのチェックを行ない、コード図形を検出できた画像と、検出できなかった画像にグループ分けを行なう（ステップＳ７−２）。
【０１５８】
まず、紙識別情報をコード化した図形を検出できなかった画像に対する処理手順を説明
する。文書管理処理部１１４は、紙識別情報をコード化した図形が存在しない画像データを、それぞれ電子文書として、ディスクＩ／Ｆ制御部１１２に供給して保存する（ステップＳ７−３）。保存先は宛先や時間などを用いて自動的に決定してもよい。
【０１５９】
そして、文書管理処理部１１４は、これらの保存先を紙識別情報管理部１１６に供給して登録することにより、紙識別情報を取得する（ステップＳ７−４）。
そして、文書管理処理部１１４は、ここで得られた紙識別情報をコード化した図形を、それぞれ対応する画像に重畳する（ステップＳ７−５）。そして、プリンタＩ／Ｆ制御部１１１に画像データを供給して印刷を行なう（ステップＳ７−６）。以上の処理により、紙識別情報を検出できなかった画像に対する登録処理を完了する。
【０１６０】
次に、紙識別情報をコード化した図形を検出できた画像に対する処理手順を説明する。紙識別情報をコード化した図形が存在する画像に対しては、文書管理処理部１１４は、各画像内の紙識別情報をコード化した図形から紙識別情報への変換を行なう（ステップＳ７−７）。これにより、紙識別情報を取得する。
【０１６１】
次に、文書管理処理部１１４は、これらの紙識別情報を紙識別情報管理部１１６に供給し、各画像の元となった電子文書の保存先とページ位置に関する情報を取得する（ステップＳ７−８）。更に、文書管理処理部１１４は、ディスクＩ／Ｆ制御部１１２を介して、各画像の元となった電子文書を取得する（ステップＳ７−９）。
【０１６２】
そして、それぞれの紙識別情報に対応するページを、再び紙識別情報をコード化した図形を重畳した後に、プリンタＩ／Ｆ制御部１１１に画像を供給して印刷を行なう（ステップＳ７−１０）。
【０１６３】
最後に、新規登録して得られた紙識別情報と、画像から抽出した画像を変換した紙識別情報を一つの紙識別情報列としてまとめる（ステップＳ７−１１）。
更に、文書管理処理部１１４は、紙識別情報を関連紙識別情報管理部に供給する（ステップＳ７−１２）。これにより、最初に供給された複数の画像に関しての関連付けが可能となる。
【０１６４】
そして、どの画像を送信票として登録するか、また送信文書として登録する画像の順序をどうするかを、ユーザＩ／Ｆ制御部１０２を介して、ユーザに選択を促す。ここでユーザにより送信票として選択された画像の紙識別情報と送信文書の画像の順序に対応する紙識別情報列をテーブル上で管理する。
【０１６５】
また、ユーザによる選択なしに自動で登録する場合は、先頭の画像が送信票の画像となり、２枚目以降の送信文書画像もページ順に整列済みであると仮定することで、先頭画像に対応する紙識別情報を送信票用の紙識別情報として、テーブルで管理することになり、ユーザＩ／Ｆ制御部１０２による制御が不要となる。
【０１６６】
従って、第１１の実施形態によれば、第９の実施形態に記載の効果に加えて以下の効果を得ることができる。
・  上記実施形態では、紙識別情報をコード化した図形が重畳された媒体と、紙識別情報をコード化した図形が重畳されていない媒体とが混在した場合であっても、そのままスキャナで読み込んで、送信する文書の関連付けを行なうことができる。
【０１６７】
（第１２の実施形態）
次に、本発明を具体化した文書送信装置の第１２の実施形態を図２９に従って説明する。なお、第１２の実施形態は、第９の実施形態に符号化／復号部、電子文書を所定の形式
での符号化とそれに対する復号を行なう構成であるため、同様の部分についてはその詳細な説明を省略する。
【０１６８】
図２９は、送信文書完成時に未印刷の送信票への埋め込み処理と、送信文書が埋め込まれた送信票を印刷する処理とを行なう。送信文書作成部１１７は、印刷命令の発行まで待機する（ステップＳ８−１）。ユーザはタッチパネル１０３、キーボード１０４、マウス１０５を用いて送信文書を完成させる。その際、ユーザＩ／Ｆ制御部１０２を介して送信文書作成部１１７に送信票印刷命令を行なう。
【０１６９】
送信票印刷命令を受けた送信文書作成部１１７は、編集中の文書に対し変更があったか否かの識別を行なう（ステップＳ８−２）。変更があった場合（ステップＳ８−２において「ＹＥＳ」の場合）は、ユーザＩ／Ｆ制御部１０２を介し、ユーザによる選択によって文書保存先を決定する。決定した文書保存先を元に、ディスクＩ／Ｆ制御部１１２に編集中の文書を供給して文書を保存する（ステップＳ８−３）。編集中の文書に対して変更がない場合（ステップＳ８−２において「ＮＯ」の場合）は、上述の保存処理は省略する。
【０１７０】
次に、送信文書作成部１１７は、ユーザに画像送信先を選択させるために、ユーザＩ／Ｆ制御部１０２は宛先情報管理部４０６に宛先一覧取得要求を行なう。そして、宛先情報管理部４０６からの応答として宛先一覧を取得し、ユーザに対し宛先候補一覧を提示する（ステップＳ８−４）。
【０１７１】
そして、送信文書作成部１１７は、ユーザによる宛先一覧からの宛先の選択、または宛先一覧にはない新規宛先の入力、または処理の取り消しが行われるまで待機する（ステップＳ８−５）。取り消しが行われた場合（ステップＳ８−５において「ＹＥＳ」の場合）は、送信票は印刷せずに終了する。
【０１７２】
ユーザによって宛先一覧からの宛先の選択、または宛先一覧にはない新規宛先の入力が行われた場合（ステップＳ８−５において「ＮＯ」の場合）、送信文書作成部１１７は、保存済みの文書を符号化／復号部４０７に供給する。そして、符号化された文書を取得する。
【０１７３】
更に、送信文書作成部１１７は、ユーザにより決定された送信票の電子文書の文書保存先をユーザＩ／Ｆ制御部１０２を介して取得する。これにより、送信文書作成部１１７は、選択された宛先情報と文書保存先、及び前述の符号化された文書を取得することになる。
【０１７４】
送信文書作成部１１７は、所定の送信票電子文書の雛形の送信宛先欄に、ユーザにより選択または入力された宛先を挿入した後に、前述の符号化した文書を可視又は不可視の状態で挿入する（ステップＳ８−６）。
【０１７５】
次に、送信文書作成部１１７は、ユーザにより指定された送信票電子文書の文書保存先を元に、ディスクＩ／Ｆ制御部１１２に供給して送信票電子文書を保存する（ステップＳ８−７）。また、保存先は宛先や時間などを用いて自動で決定してもよい。
【０１７６】
次に、送信文書作成部１１７は、紙識別情報管理部１１６に送信票の情報（保存先など）を供給し、紙識別情報管理部１１６からの応答として送信票の紙識別情報を取得する（ステップＳ８−８）。
【０１７７】
そして、送信文書作成部１１７は、取得した送信票の紙識別情報をコード化した図形を作成する。そして、その図形を送信票の印刷イメージへと重畳し、プリンタＩ／Ｆ制御部
１１１に印刷対象の送信票の印刷イメージを供給して印刷を行なう（ステップＳ８−９）。
【０１７８】
従って、第１２の実施形態によれば、第９の実施形態に記載の効果に加えて以下の効果を得ることができる。
・  上記実施形態では、送信文書作成部１１７は、保存済みの文書を符号化／復号部に供給し、符号化された文書を取得する。そして、符号化した文書を可視又は不可視の状態で挿入する（ステップＳ８−６）。これにより、送信票から文書を取り出すことが可能である。
【０１７９】
（第１３の実施形態）
次に、本発明を具体化した文書送信装置の第１３の実施形態を図３０に従って説明する。なお、第１３の実施形態は、第９の実施形態に印刷済みの送信票と送信文書の関連付けを行なう処理を実行する構成である。
【０１８０】
まず、文書管理処理部１１４は、ユーザからの処理開始指示をユーザＩ／Ｆ制御部１０２を介して受信すると、スキャナＩ／Ｆ制御部１１０を介し、スキャナ１０６から１ないし複数の画像を取得する（ステップＳ９−１）。
【０１８１】
文書管理処理部１１４は、取得したすべての画像に対し、紙識別情報をコード化した図形が存在するか否かのチェックを行なう（ステップＳ９−２）。上記図形を検出できた画像と検出できなかった画像にグループ分けを行なう。
【０１８２】
まず、紙識別情報をコード化した図形を検出できなかった画像に対する処理手順を説明する（ステップＳ９−２において「ＮＯ」）。文書管理処理部１１４は、紙識別情報をコード化した図形が存在しない画像は、各画像をそれぞれ電子文書として、ディスクＩ／Ｆ制御部１１２に供給して保存する（ステップＳ９−３）。保存先は宛先や時間などを用いて自動で決定してもよい。
【０１８３】
次に、文書管理処理部１１４は、紙識別情報をコード化した図形を検出できた画像に対する処理手順を説明する（ステップＳ９−２において「ＹＥＳ」）。
文書管理処理部１１４は、紙識別情報をコード化した図形が存在する画像に対して、各画像内の紙識別情報をコード化した図形から紙識別情報への変換を行なう（ステップＳ９−４）。
【０１８４】
文書管理処理部１１４は、これらの紙識別情報を紙識別情報管理部１１６に供給し、各画像の元となった電子文書の保存先とページ位置を取得する（ステップＳ９−５）。
更に、文書管理処理部１１４は、ディスクＩ／Ｆ制御部１１２を介して、各画像の元となった電子文書を取得する（ステップＳ９−６）。
【０１８５】
以上の処理で、紙識別情報が検出できた紙に関しては、原本の電子文書のページが取得される。
次に、文書管理処理部１１４は、紙識別情報から得られた電子文書の各ページと新規保存した文書画像のうちから１つの画像を印刷対象として抽出し、残りの紙識別情報から得られた電子文書の各ページと新規保存した文書画像は、符号化／復号部に供給して符号化を行なう（ステップＳ９−７）。
【０１８６】
符号化／復号部において符号化された文書／画像群は、前述の印刷対象画像の元となった電子文書内に可視、又は不可視の状態で挿入する。
その後に、文書管理処理部１１４は、印刷対象画像の電子文書の文書保存先をユーザＩ
／Ｆ制御部１０２を介しユーザにより決定し、決定した文書保存先を元に、ディスクＩ／Ｆ制御部１１２に宛先情報が挿入された印刷対象画像の電子文書を供給し、文書を保存する（ステップＳ９−８）。また、保存先は宛先や時間などを用いて自動で決定してもよい。
【０１８７】
次に、文書管理処理部１１４は、印刷対象画像の紙識別情報を取得するために、紙識別情報管理部１１６に印刷対象画像の情報（保存先など）を供給する。そして、紙識別情報管理部１１６からの応答として印刷対象画像の紙識別情報を取得する。
【０１８８】
文書管理処理部１１４は、取得した印刷対象画像の紙識別情報をコード化した図形を作成し、その図形を印刷対象画像の印刷イメージへと重畳した後に、プリンタＩ／Ｆ制御部１１１に印刷対象画像の印刷イメージを供給して印刷を行なう（ステップＳ９−９）。
【０１８９】
送信票画像の決定や、また残りの送信文書の順序の決定に関しては、ユーザＩ／Ｆ制御部１０２を介して、ユーザにスキャナから取得した複数の文書画像、紙識別情報から得られる電子文書名とページ数の一覧を提示し、ユーザに選択を促す。また、ユーザによる選択なしに自動で登録する場合は、先頭の画像が印刷対象の画像となり、２枚目以降の文書画像もページ順に整列済みであると仮定する。
【０１９０】
従って、第１３の実施形態によれば、第１２の実施形態に記載の効果に加えて以下の効果を得ることができる。
・  紙識別情報をコード化した図形を検出できた場合には、送信する電子文書を取得することができる。
【０１９１】
（第１４の実施形態）
次に、本発明を具体化した文書送信装置の第１４の実施形態を図３１〜図３２に従って説明する。なお、第１３の実施形態は、第３の実施形態において、検印依頼票とファクシミリ送信票とを使い分けるようにした構成であるため、同様の部分についてはその詳細な説明を省略する。
【０１９２】
図３２に示すように、本実施形態の検印依頼票２２１０には、例えばファクシミリ番号＋用紙の種類を表す記号（例えば検印依頼票の場合は「Ａ」）がエンコードされているコード画像が添付される。この検印依頼票２２１０は、ファクシミリ送信しようとする本文とともに上司に回覧し、送信許可の承認を得るためのものである。そして、この検印依頼票２２１０は、検印されて検印依頼票２２２０となる。一方、本実施形態のファクシミリ送信には、送信票２２３０を用いる。検印依頼票２２１０と送信票２２３０とは、タイトル自身の文言は異なる。また、送信票２２３０のコード画像はファクシミリ番号＋用紙の種類を表す記号（例えば送信票の場合は「Ｂ」）がエンコードされているものである。
【０１９３】
次に、図３１を用いて動作を説明する。まず、スキャナ１０６が原稿を読み取る。この場合、文書管理処理部１１４は、原稿の解析を行なう（ステップＳ１０−１）。デコードに失敗した場合（ステップＳ１０−２に「ＮＯ」の場合）は、検印依頼票ではない可能性が高いので、エラーを表示する（ステップＳ１０−３）。
【０１９４】
一方、デコードに成功した場合（ステップＳ１０−２に「ＹＥＳ」の場合）は、文書管理処理部１１４は、検印依頼票かファクシミリ送信票かどうかを確認する（ステップＳ１０−４）。この場合、コード画像の識別子（ここでは、「Ａ」又は「Ｂ」）により判断する。
【０１９５】
検印依頼票の場合（ステップＳ１０−４において「ＹＥＳ」の場合）には、追記解釈部
３０３が検印を確認してファクシミリ送信票を生成する（ステップＳ１０−５）。タイトル部分を「検印依頼票」から「ファクシミリ送信票」に変更する。そして、コードを変更して印刷を行なう（ステップＳ１０−６）。
【０１９６】
一方、デコード結果からファクシミリ番号の場合（ステップＳ１０−４において「ＮＯ」の場合）には、ファクシミリ送信操作を実行する（ステップＳ１０−７）。
従って、第１４の実施形態によれば、第３の実施形態に記載の効果に加えて以下の効果を得ることができる。
【０１９７】
検印がなされていると判断された場合は、通常のファクシミリの動作に加えて、検印依頼票」から「ファクシミリ送信票」とを使い分けることができる。
【０１９８】
なお、上記実施形態は以下のように変更してもよい。
○  上記実施形態では、「ファクシミリ送信」の場合には、文書管理処理部１１４は、送信票の電子文書の中から送信先のファクシミリ番号を取得する（ステップＳ３−９）。また、「電子メール送信」の場合には、送信票の電子文書の中から送信先の電子メールアドレスを取得する（ステップＳ３−１２）。これに代えて、送信媒体に含まれる送信媒体識別情報を用いて、電子文書の宛先情報を取得するようにしてもよい。この場合には、宛先情報管理手段としての宛先情報管理部１１８に、送信媒体識別情報に関連付けて宛先情報（ファクシミリ番号や電子メールアドレス等）を記録しておく。そして、文書送信処理において、スキャン画像に含まれるコード画像を検索し、デコードを行なうことによりＩＤ（送信媒体識別情報）を取得する。このＩＤに関連付けられた宛先情報を宛先情報管理部１１８から取得する。これにより、予め電子文書に設定された宛先に送信を行なうことができる。
【０１９９】
○  上記実施形態では、検印欄の判定に「追記があるか」のＢＯＯＬ値しか用いていない。これに代えて、例えば検印欄の記入部に対応する情報として追記イメージそのものを取得し、取得したイメージデータを使って画像認識により検印認証あるいはサイン認証等を行ない、その認証結果によって検印判定を行なうようにしてもよい。これにより、検印の精度を高くすることができる。
【０２００】
○  上記実施形態では、ファクシミリ送信あるいは電子メール送信をするときに画像化した送信票を図１３に示したが、追記イメージを重畳させた画像を作り、それを送信してもよい。あるいは、追記欄１３０５〜１３０８（あるいはその一部）を消去した画像を作り、それを送信してもよい。また送信先情報１３０３、送信元情報１３０４の一部を必要に応じて消去したりしてもよい。例えば、ファクシミリ送信時には電子メールアドレスの表記の消去なども行なうことができる。このような送信時の細かいレイアウト制御は、送信票のスキャン画像でなく、その電子文書を取得しているからこそできることである。このときの制御パラメータは、文書送信管理処理要求時にユーザＩ／Ｆ制御部１０２で指定されたものを受け取ったり、送信票作成の際に紙からパラメータ指定したりするための追記欄を設けるなどする。
【０２０１】
○  上記第１４の実施形態では、検印依頼票の場合（ステップＳ１０−４において「ＹＥＳ」の場合）には、追記解釈部３０３が検印を確認してファクシミリ送信票を生成する（ステップＳ１０−５）。タイトル部分を「検印依頼票」から「ファクシミリ送信票」に変更する。そして、コードを変更して印刷を行なう（ステップＳ１０−６）。これに代えて、検印を確認できれば、速やかにファクシミリ送信してもよい。更に、送信票を印刷するとともに、ファクシミリ送信してもよい。
【０２０２】
○  上記実施形態では、宛先は宛先情報管理部１１８で管理している宛先情報管理テー
ブルに記録されて管理される。この宛先の指定には、ワンタッチダイヤルを用いることも可能である。
【図面の簡単な説明】
【０２０３】
【図１】第１の実施形態の機能ブロックの説明図。
【図２】第１の実施形態の処理手順の説明図。
【図３】第１の実施形態のディスプレイの表示画面の説明図。
【図４】宛先情報管理部で管理している宛先情報管理テーブルの説明図。
【図５】送信票の電子文書の説明図。
【図６】第１の実施形態の処理手順の説明図。
【図７】紙識別情報管理部で管理しているＩＤテーブルの説明図。
【図８】送信票の説明図。
【図９】第１の実施形態の処理手順の説明図。
【図１０】第２の実施形態の機能ブロックの説明図。
【図１１】第３の実施形態の機能ブロックの説明図。
【図１２】第３の実施形態の処理手順の説明図。
【図１３】送信票の電子文書の説明図。
【図１４】送信票の説明図。
【図１５】送信票の説明図。
【図１６】第３の実施形態の処理手順の説明図。
【図１７】第４の実施形態の機能ブロックの説明図。
【図１８】第５の実施形態の機能ブロックの説明図。
【図１９】第５の実施形態の処理手順の説明図。
【図２０】第５の実施形態の処理手順の説明図。
【図２１】第６の実施形態の機能ブロックの説明図。
【図２２】第７の実施形態の機能ブロックの説明図。
【図２３】第８の実施形態の機能ブロックの説明図。
【図２４】第９の実施形態の処理手順の説明図。
【図２５】送信票と送信本文の説明図。
【図２６】第９の実施形態の処理手順の説明図。
【図２７】第１０の実施形態の処理手順の説明図。
【図２８】第１１の実施形態の処理手順の説明図。
【図２９】第１２の実施形態の処理手順の説明図。
【図３０】第１３の実施形態の処理手順の説明図。
【図３１】第１４の実施形態の処理手順の説明図。
【図３２】送信票の説明図。
【符号の説明】
【０２０４】
１０１、２０１、３０１、４０１、５０１、６０１、７０１、８０１…文書送信装置、１０２…ユーザＩ／Ｆ制御部、１１０…スキャナＩ／Ｆ制御部、１１１…プリンタＩ／Ｆ制御部、１１２…ディスクＩ／Ｆ制御部、１１３…送信Ｉ／Ｆ制御部、１１４…文書管理処理部、１１５…印刷処理部、１１６…紙識別情報管理部、１１７…送信文書作成部、１１８…宛先情報管理部、３０２…追記欄生成部、３０３…追記解釈部、５０２…送信本文符号化部、５０３…送信本文復号部、１３０１…送信票データ、１３０３…送信先情報、１３０５…検印欄、１３０６，１３１２…ファクシミリ送信欄、１３０７…電子メール送信欄、１６０１，１７０１，１８０１，２２３０…送信票。
【図１】
0004641495.tif 000002
【図２】
0004641495.tif 000003
【図３】
0004641495.tif 000004
【図４】
0004641495.tif 000005
【図５】
0004641495.tif 000006
【図６】
0004641495.tif 000007
【図７】
0004641495.tif 000008
【図８】
0004641495.tif 000009
【図９】
0004641495.tif 000010
【図１０】
0004641495.tif 000011
【図１１】
0004641495.tif 000012
【図１２】
0004641495.tif 000013
【図１３】
0004641495.tif 000014
【図１４】
0004641495.tif 000015
【図１５】
0004641495.tif 000016
【図１６】
0004641495.tif 000017
【図１７】
0004641495.tif 000018
【図１８】
0004641495.tif 000019
【図１９】
0004641495.tif 000020
【図２０】
0004641495.tif 000021
【図２１】
0004641495.tif 000022
【図２２】
0004641495.tif 000023
【図２３】
0004641495.tif 000024
【図２４】
0004641495.tif 000025
【図２５】
0004641495.tif 000026
【図２６】
0004641495.tif 000027
【図２７】
0004641495.tif 000028
【図２８】
0004641495.tif 000029
【図２９】
0004641495.tif 000030
【図３０】
0004641495.tif 000031
【図３１】
0004641495.tif 000032
【図３２】
0004641495.tif 000033